(57)【要約】      （修正有）【課題】各ページの見開き状態でチケットや関連する写真を収納でき、関連記録も記載できるポケット付きメモリーノートを提供する。【解決手段】ポケット付きのメモリーノートは、ライブやコンサート会場などのチケット１２や関連する写真１３などを収納すると共に、その時の状況を記録でき、一側端側に綴じ代として複数の綴じ穴５が設けられた厚手の複数枚の紙葉４が使用され、紙葉４の表面側は書き込みができる表示部とし、裏面側にはチケット１２や写真１３等が収納できるポケットを透明な樹脂シートで形成した収納部を設け、収納部として開口部８を有する袋体９が全面的に取り付けられ、複数枚の紙葉を綴じ穴に金属製またはプラスチック製のループ状の綴じ具６により各紙葉が見開きできるよう綴じられ、紙葉４を各見開き状態にしたときに袋体と表示部とが隣接状態で視認できるので、同じ見開きページに日時がずれることなくチケットや写真と記録が残る。【選択図】図３
2020104398.tif 000002
【特許請求の範囲】
【請求項１】
一側端側に綴じ代として複数の綴じ穴が設けられた厚手の複数枚の紙葉が使用され、
該紙葉の表面側は書き込みができる表示部とし、裏面側にはチケットや写真等が収納できる透明な樹脂シートで形成した開口部を有する収納部が設けられ、
該複数枚の紙葉を前記綴じ穴に金属製またはプラスチック製のループ状の綴じ具により各紙葉が見開きできるよう綴じられ、
前記紙葉を各見開き状態にしたときに前記収納部と表示部とが隣接状態で視認できるようにしたこと
を特徴とするポケット付きメモリーノート。
【請求項２】
前記表示部は、縦方向または横方向に記入線が印刷されていること
を特徴とする請求項１に記載のポケット付きメモリーノート。
【請求項３】
前記紙葉は、ページ毎に見開きできるようにルーズリーフ状に綴じられていること
を特徴とする請求項１乃至２に記載のポケット付きメモリーノート。
【発明の詳細な説明】
【技術分野】
【０００１】
本発明は、ライブやコンサート会場またはレジャー施設入場などのチケットや関連する写真などを収納できるポケット付きのメモリーノートに関するものである。
【背景技術】
【０００２】
この種のポケット付きノートについては複数の技術が公知になっている。まず、第１の公知例は、金銭出納記入欄を印刷したノートの下部を１枚おきに接続した状態に製本したポケット付きノート、である。このポケット付きノートの実施の形態は、紙の表裏に金銭出納や家計簿等金銭の出し入れに関する欄を印刷し、奇数枚目と偶数枚目の下部を接続したまま上方向に折り曲げ、上部及び右側面は開放型として左側面綴じで製本し、必要事項を記入した後其の裏面の袋部分に伝票領収書レシート等を収納できる。又記入内容の多い場合には袋部分の下部をナイフ鋏等で切り開く事により増ページとなり簡単に対応可能となる、というものである（特許文献１）。
【０００３】
上記ポケット付きノートは、金銭の出納を記入できる事は勿論、伝票領収書レシート等を奇数枚目と偶数枚目の間の袋に入れて保管する事ができ、必要に応じて下部を切断する事により増ページが可能となる、というものである。
【０００４】
第２の公知例は、ノートの表紙内側の下端部全面にポケット形成用シートを凹字型の糊付け部にて固定し、表紙内部にノート本体を表紙になかとじ機構によってとじるとともに、ノートの表紙と裏表紙それぞれの内側にポケットを形成したことを特徴とするポケット付きノート、である（特許文献２）。
【０００５】
この第２の公知例に係るポケット付きノートによれば、極めて簡単な構造で表紙の表裏内側の２ケ所にポケットを付けたノートとすることができ、低価格で便利なノートとすることができた、というものである。
【先行技術文献】
【特許文献】
【０００６】
【特許文献１】特開平１１−３４８４５５号公報
【特許文献２】実開平６−１６０７２号公報
【発明の概要】
【発明が解決しようとする課題】
【０００７】
前記第１の公知例は、紙の表裏に金銭出納や家計簿等金銭の出し入れに関する欄を印刷し、奇数枚目と偶数枚目の下部を接続したまま上方向に折り曲げ、上部及び右側面は開放型として左側面綴じで製本としたもので、袋体の上部と右側面（前面側）が解放状態であり、収納物が収納状態では見えないので、全部取り出して記録と対比して確認しなければならず、また、前面側が開放状態であるため取扱い方によっては収納物が離脱・落下する可能性があり、実質的に取り扱いが不便であるという問題点を有している。
【０００８】
前記第２の公知例は、ノートの表紙内側の下端部全面にポケット形成用シートを凹字型の糊付け部にて固定したものであり、メモやカード、切り抜きなどを保存できるとしているが、それらに関係する思い出の記録をする場所が明記されていないばかりでなく、チケットや関連する写真なども含めて保存の数も限定されるという問題点を有している。
【０００９】
本発明は、前記問題点を解決すべく、各ページの見開き状態でチケットや関連する写真を収納できると共に、それらに関連する記録も記載できるようにしたポケット付きのメモリーノートを提供することを目的とするものである。
【課題を解決するための手段】
【００１０】
本発明に係るメモリーノートは、一側端側に綴じ代として複数の綴じ穴が設けられた厚手の複数枚の紙葉が使用され、該紙葉の表面側は書き込みができる表示部とし、裏面側にはチケットや写真等が収納できる透明な樹脂シートで形成した開口部を有する収納部が設けられ、該複数枚の紙葉を前記綴じ穴に金属製またはプラスチック製のループ状の綴じ具により各紙葉が見開きできるよう綴じられ、前記紙葉を各見開き状態にしたときに前記袋体と表示部とが隣接状態で視認できるようにしたことを特徴とするポケット付きメモリーノートを提供するものである。
【００１１】
上記発明において、前記表示部は、縦方向または横方向に記入線が印刷されていること、及び前記紙葉は、ページ毎に見開きできるようにルーズリーフ状に綴じられていること、を付加的な要件として含むものである。
【発明の効果】
【００１２】
本発明に係るポケット付きのメモリーノートによれば、紙葉を見開き状態にしたときにチケットや写真等が収納できる収納部と記録ができる表示部とが隣接状態で視認できるようにしたことにより、同じ見開きページに日時がずれることなくチケットや写真と記録が残り、何年経っても取り違えることなく楽しむことができるという優れた効果を奏する。
さらに、同じ見開きページに少なくとも２回分のチケットや写真と記録とが納められるので、同じノートを複数年に亘って使用できるという優れた効果も奏するのである。
【図面の簡単な説明】
【００１３】
【図１】本発明に係る好ましいポケット付きのメモリーノートの実施例を示す正面図である。
【図２】同ポケット付きのメモリーノートの好ましい実施例の見開き状態を示した平面図である。
【図３】同ポケット付きのメモリーノートの好ましい実施例の見開き状態において、袋体にチケットと写真とを収納する状態を示した平面図である。
【図４】本発明に係るポケット付きのメモリーノートの他の実施例で袋体にチケットと写真とを収納し且つ表示部の状態を示す平面図である。
【発明を実施するための最良の形態】
【００１４】
本発明を図示の具体的な実施の形態に基づいて詳しく説明する。図１〜３は、好ましい実施の形態に係るポケット付きのメモリーノート１を示すものであり、該メモリーノート１は、透明なプラスチック製の表面側プレート２と裏面側プレート３の間に、厚手の紙からなる複数枚の紙葉４を介在させ、各プレート２、３及び紙葉４の一側端側に綴じ代として複数の綴じ穴５が同じ位置にそれぞれ設けられており、該綴じ穴５に金属製またはプラスチック製のループ状の綴じ具６により各部材が見開きできるよう、例えば、ルーズリーフ状に綴じられ、ページは右側から左側に開く縦長（概ね縦２１ｃｍ、横１２ｃｍ）のノート状に形成されている。
【００１５】
前記紙葉４は、表側となる面４ａは書き込みができる表示部とし、一枚目の紙葉４については、ノートとしてのタイトル表示部７を設け、裏側となる面４ｂには、ポケットと称される収納部、例えば、長方形の透明な樹脂シートの一辺を開口し他の三辺を面４ｂにシールして収納部とするか、もしくは、透明な樹脂シートで形成した開口部８を有する袋体９の外周部を接着部１０として全面的に取り付けて収納部とするかである。そして、２枚目以降の紙葉４については、見開き状態になった時に表面となる面には、表示部として自由に書き込みができるように白紙状態にするか、または、記入し易いように要間隔をもって複数条の記入線１１が横方向に印刷されている。もちろん、２枚目以降の紙葉４の裏側となる面４ｂには、前記と同様に透明な樹脂シートで形成した収納部の形成または収納部として袋体９を取り付けてある。このように形成することにより、どのページを開いても、左側には収納部があり、右側には書き込みができる表示部がある。なお、綴じ込まれる紙葉４の枚数としては、少なくとも１５枚以上で、２５枚以下が好ましい。
【００１６】
上記実施例の使用の仕方については、図３に示したように、例えば、友達と複数人でコンサート会場に行った場合に、その入場チケットまたは半券（チケット）１２と、コンサート会場での思い出の写真１３とを、収納部であるポケットの開口部８から袋体９内に収納し、右側表示部の記入線１１内には年月日と友人名や、会話や行動の中で思い出になるエピソード等を記載することができる。このように各見開きページ毎の中で、当時の写真や出来事等を回想することができるのである。なお、各見開きページには、上下に分けて複数回（少なくとも２回分）のチケットや写真を分けて収納し、行間を開けて記録することもできる。
【００１７】
さらに、他の実施例に係るポケット付きのメモリーノート１ついて、図４を用いて説明する。この実施例では、前記実施例と同様の裏面側に透明な樹脂シートで形成したポケットと称される収納部の袋体９が取り付けられた紙葉４が使用され、表面側の表示部に係る記入線１１だけが異なるのである。この場合の記入線１１については、縦方向に２つのグループに分けて印刷されるのである。このように２つのグループに分けて記入線１１を形成することで、ページを開いた時に収納部の袋体９側を上側にし表示部側を手前に、つまり、ノートを横にして、ページを手前から捲り上げて開くようにするのである。
【００１８】
このように形成することで、各見開きページには、左右に分けて２回分のチケット１２や写真１３を分けて袋体９に収納すると共に、それぞれの記録も左右に分けて記載することができるのである。いずれにしても、このように見開きページ毎に２回分のメモリー品と記録とを識別して残すことができるので、１冊のメモリーノート１でも複数年に亘って利用できるのである。
なお、表裏両面の透明なプラスチック製のプレート２、３は、剛性のあるシートであっても良く、複数年に亘って頻繁に出し入れして使用するノートの表紙の汚れや擦れによる損傷を防ぐためのものであり、構成要件として必ずしも必要とするものではないのである。
【産業上の利用可能性】
【００１９】
本発明に係るポケット付きのメモリーノート１は、ライブやコンサート会場またはレジャー施設入場などのチケット１２や関連する写真１３などをポケットと称される収納部に収納すると共に、その時の状況を表示部に記録することができるものであって、一側端側に綴じ代として複数の綴じ穴５が設けられた厚手の複数枚の紙葉４が使用され、該紙葉４の表面側は書き込みができる表示部とし、裏面側にはチケット１２や写真１３等が収納できるポケットと称される透明な樹脂シートで形成した収納部となる一例の袋体９が設けられ、該複数枚の紙葉４を前記綴じ穴５に金属製またはプラスチック製のループ状の綴じ具６により各紙葉４が見開きできるよう綴じられ、前記紙葉４を各見開き状態にしたときに前記収納部である袋体９と表示部とが隣接状態で視認できるようにしたことによって、同じ見開きページに日時がずれることなくチケット１２や写真１３と記録が残り、何年経っても取り違えることなく楽しむことができるばかりでなく、１冊のメモリーノートで、複数年に亘って使用することができるものである。
【符号の説明】
【００２０】
１  ポケット付きのメモリーノート
２、３  プレート
４  紙葉
４ａ  表側となる面
４ｂ  裏側となる面
５  綴じ穴
６  綴じ具
７  タイトル表示部
８  開口部
９  袋体（一例の収納部）
１０  接着部
１１  記入線
１２  チケット
１３  写真
【図１】
2020104398.tif 000003
【図２】
2020104398.tif 000004
【図３】
2020104398.tif 000005
【図４】
2020104398.tif 000006